(57)【特許請求の範囲】
【請求項１】
屋根材の上に設置される設置用固定具に対して太陽エネルギー利用装置が連結固定される、太陽エネルギー利用装置の設置構造であって、
前記設置用固定具は、
前記屋根材のおもて側に設置され、前記太陽エネルギー利用装置と連結されるブラケット部材と、
前記ブラケット部材を前記屋根材のうら側の野地板に留め付けるための締結部材であって、前記ブラケット部材の貫通孔、及び、前記屋根材の貫通孔に挿通され、前記野地板に敷設される防水シートを通して前記野地板に差し込まれる締結部材と、
前記締結部材が通される前記防水シートの孔の周囲を封止するための封止部材と、を有し、
前記締結部材は、
その先端側が前記野地板に差し込まれることで前記ブラケット部材を前記野地板に留め付けるための軸部と、前記軸部の後端側に設けられる頭部と、を有し、
前記封止部材は、前記軸部に付着されるゲル状のシール剤にて構成され、
前記封止部材の直径は、前記屋根材の前記貫通孔の孔径よりも小さく構成され、
前記封止部材は、前記軸部の長手方向の先端側であって前記頭部から離れた部位に付着され、
前記軸部が前記野地板に差し込まれる際に、前記封止部材が前記防水シートの表面に到達し、前記野地板に押し返されるようにして前記屋根材の貫通孔の空間内において盛り上がり、前記防水シートに形設される前記孔の周りに堆積し、
堆積した前記封止部材によって、前記防水シートの前記孔が封止される構成とする、
太陽エネルギー利用装置の設置構造。
【請求項２】
前記ブラケット部材の貫通孔の孔径は、前記屋根材の貫通孔の孔径よりも小さい、
ことを特徴とする請求項１に記載の太陽エネルギー利用装置の設置構造。
【請求項３】
屋根材の上に設置用固定具を介して太陽エネルギー利用装置を設置するための方法であって、
前記設置用固定具は、前記屋根材のおもて側に設置され、太陽エネルギー利用装置と連結されるブラケット部材と、
前記ブラケット部材を前記屋根材のうら側の野地板に留め付けるための締結部材であって、前記ブラケット部材の貫通孔、及び、前記屋根材の貫通孔に挿通され、前記野地板に敷設される防水シートを通して前記野地板に差し込まれる締結部材と、
前記締結部材が通される前記防水シートの孔の周囲を封止するための封止部材と、を有する構成とし、
前記締結部材が締結されると同時に、前記孔の周りが前記封止部材によって封止され、
前記締結部材は、
その先端側が前記野地板に差し込まれることで前記ブラケット部材を前記野地板に留め付けるための軸部と、前記軸部の後端側に設けられる頭部と、を有し、
前記封止部材は、前記軸部に付着されるゲル状のシール剤にて構成され、
前記封止部材の直径は、前記屋根材の前記貫通孔の孔径よりも小さく構成され、
前記封止部材は、前記軸部の長手方向の先端側であって前記頭部から離れた部位に付着され、
前記軸部が前記野地板に差し込まれる際に、前記封止部材が前記防水シートの表面に到達し、前記野地板に押し返されるようにして前記屋根材の貫通孔の空間内において盛り上がり、前記防水シートに形設される前記孔の周りに堆積し、
堆積した前記封止部材によって、前記防水シートの前記孔が封止される構成とする、
太陽エネルギー利用装置の設置方法。
【請求項４】
前記ブラケット部材の貫通孔の孔径は、前記屋根材の貫通孔の孔径よりも小さい、
ことを特徴とする請求項３に記載の太陽エネルギー利用装置の設置方法。
【発明の詳細な説明】
【技術分野】
【０００１】
本発明は、住宅などの建物の屋根に設置される太陽電池パネルなどの太陽エネルギー利用装置を設置する際の構造等に関するものであり、より詳しくは、太陽エネルギー利用装置の設置後における屋根の漏水を防ぐための技術に関する。
【背景技術】
【０００２】
従来、住宅などの建物の屋根に設置される太陽電池パネルなどの太陽エネルギー利用装置においては、屋根上の複数箇所に配設される設置用固定具にて太陽エネルギー利用装置を設置する構成が知られている。また、設置用固定具は、スレート瓦などの屋根材の上に設置されるとともに、屋根の野地板に対してビス固定される形態が知られており、この形態について開示する文献も存在する（例えば、特許文献１参照。）。
【０００３】
そして、特許文献１でも開示されるように、従来、設置用固定具（固定金具）を固定するために屋根材（平屋根材）に先孔を開けるとともに、この先孔にコーキング剤を注入し、その後、先孔を通じてビスを野地板に打ち込む形態が知られている。この形態では、先孔や、ビスの打ち込みによって野地板に形設される穴について、コーキング剤による雨水の漏水防止が図られることになる。
【０００４】
以上のように、従来の太陽エネルギー利用装置の施工においては、屋根への設置用固定具の固定に関し、コーキング剤による漏水対策が施されるものであった。
【先行技術文献】
【特許文献】
【０００５】
【特許文献１】特開２００８−２７４６４７号公報
【発明の概要】
【発明が解決しようとする課題】
【０００６】
しかし、従来のコーキング剤を注入する施工方法では、コーキング剤を注入する手間が発生してしまう。特に、屋根全体の広い範囲を覆うように太陽エネルギー利用装置を設置する場合では、設置される太陽エネルギー利用装置のユニットの数も多くなるとともに、各ユニットを確実に屋根側に連結固定するために、多数の設置用固定具を用いる必要がある。また、各設置用固定具においても、複数箇所においてビス固定する必要が生じることになるため、コーキング剤の注入回数は、数百箇所以上になることが想定される。そして、このことから、コーキング剤の注入作業のために、まとまった作業時間が発生していると考えられ、この作業時間は太陽エネルギー利用装置の全施工時間に影響を与えるものとなる。
【０００７】
ところが、屋根の施工や修繕を行う当業者においては、太陽エネルギー利用装置の設置が普及する以前から、屋根に関連してコーキング剤の利用による漏水対策を講じることが慣例となっているため、近年、特に需要及び普及が急拡大している太陽電池パネルの設置においても、コーキング剤の注入作業が必要とされている点については、特に疑問が呈されることは無かったものと考えられる。
【０００８】
しかしながら、上述したように、コーキング剤の注入作業の時間は、太陽エネルギー利用装置の全施工時間に影響するものである。このため、本願の発明者らは、コーキング剤の注入作業の時間に着目するとともに、この全施工時間の短縮を図るべく、コーキング剤の注入作業がなされているの現状がありながらも、あえてコーキング剤の注入作業を行うこと無しに漏水対策が可能な新規な技術を検討した。
【０００９】
また、特許文献１に開示される構成では、屋根材のおもて面側に防水シート（防水カバー）が敷設される形態とするものであるが、屋根材と野地板の間、即ち、屋根材のうら側であって、野地板のおもて面側に防水シートが敷設される形態においては、この防水シートをビスが突き破ることによって防水シートに孔が形設されることになるため、この孔を封止する必要がある。
【００１０】
特に、既設住宅の屋根において、野地板のおもて面側に防水シートが敷設される形態の場合には、特許文献１のように屋根材に防水シートを敷設する必要がなく、既存の防水シートをそのまま利用できるという利点がある。このため、このような野地板のおもて面側に防水シートが敷設される形態について、コーキング剤の注入作業を行うこと無しに漏水対策を行える技術が期待されることになる。
【００１１】
他方、特許文献１では、屋根材のおもて面側に防水シートを設ける形態であるため、特許文献１を参照してもこのような課題は思いつかないものであるところ、発明者らは、既設住宅の屋根の実際の形態を踏まえた上で、検討を重ねたものである。
【００１２】
以上のように、本発明は、特に、野地板のおもて面側に防水シートが敷設される形態において、コーキング剤の注入作業を必要とすることなく、防水シートに形設される孔を確実に封止するための技術について提案するものである。
【課題を解決するための手段】
【００１３】
本発明の解決しようとする課題は以上の如くであり、次にこの課題を解決するための手段を説明する。
【００１４】
即ち、請求項１に記載のごとく、屋根材の上に設置される設置用固定具に対して太陽エネルギー利用装置が連結固定される、太陽エネルギー利用装置の設置構造であって、前記設置用固定具は、前記屋根材のおもて側に設置され、前記太陽エネルギー利用装置と連結されるブラケット部材と、前記ブラケット部材を前記屋根材のうら側の野地板に留め付けるための締結部材であって、前記ブラケット部材の貫通孔、及び、前記屋根材の貫通孔に挿通され、前記野地板に敷設される防水シートを通して前記野地板に差し込まれる締結部材と、  前記締結部材が通される前記防水シートの孔の周囲を封止するための封止部材と、を有し、前記締結部材は、その先端側が前記野地板に差し込まれることで前記ブラケット部材を前記野地板に留め付けるための軸部と、前記軸部の後端側に設けられる頭部と、を有し、前記封止部材は、前記軸部に付着されるゲル状のシール剤にて構成され、前記封止部材の直径は、前記屋根材の前記貫通孔の孔径よりも小さく構成され、前記封止部材は、前記軸部の長手方向の先端側であって前記頭部から離れた部位に付着され、前記軸部が前記野地板に差し込まれる際に、前記封止部材が前記防水シートの表面に到達し、前記野地板に押し返されるようにして前記屋根材の貫通孔の空間内において盛り上がり、前記防水シートに形設される前記孔の周りに堆積し、堆積した前記封止部材によって、前記防水シートの前記孔が封止される構成とする、太陽エネルギー利用装置の設置構造とする。
【００１５】
また、請求項２に記載のごとく、前記ブラケット部材の貫通孔の孔径は、前記屋根材の貫通孔の孔径よりも小さい、こととする。
【００１６】
また、請求項３に記載のごとく、屋根材の上に設置用固定具を介して太陽エネルギー利用装置を設置するための方法であって、前記設置用固定具は、前記屋根材のおもて側に設置され、太陽エネルギー利用装置と連結されるブラケット部材と、前記ブラケット部材を前記屋根材のうら側の野地板に留め付けるための締結部材であって、前記ブラケット部材の貫通孔、及び、前記屋根材の貫通孔に挿通され、前記野地板に敷設される防水シートを通して前記野地板に差し込まれる締結部材と、前記締結部材が通される前記防水シートの孔の周囲を封止するための封止部材と、を有する構成とし、前記締結部材が締結されると同時に、前記孔の周りが前記封止部材によって封止され、前記締結部材は、その先端側が前記野地板に差し込まれることで前記ブラケット部材を前記野地板に留め付けるための軸部と、前記軸部の後端側に設けられる頭部と、を有し、前記封止部材は、前記軸部に付着されるゲル状のシール剤にて構成され、前記封止部材の直径は、前記屋根材の前記貫通孔の孔径よりも小さく構成され、前記封止部材は、前記軸部の長手方向の先端側であって前記頭部から離れた部位に付着され、前記軸部が前記野地板に差し込まれる際に、前記封止部材が前記防水シートの表面に到達し、前記野地板に押し返されるようにして前記屋根材の貫通孔の空間内において盛り上がり、前記防水シートに形設される前記孔の周りに堆積し、堆積した前記封止部材によって、前記防水シートの前記孔が封止される構成とする、太陽エネルギー利用装置の設置方法とする。
【００１７】
また、請求項４に記載のごとく、前記ブラケット部材の貫通孔の孔径は、前記屋根材の貫通孔の孔径よりも小さい、こととする。
【発明の効果】
【００２５】
本発明の効果として、以下に示すような効果を奏する。
【００２６】
即ち、請求項１に記載の発明においては、防水シートの孔の周りが封止部材によって封止されるため、従来のコーキング剤の注入作業を必要とすること無く、孔からの野地板側への漏水を防止することが可能となる。また、締結部材を締結するという簡易な作業によって、コーキング剤の注入作業の代わりとすることができる。
【００２７】
また、請求項２に記載の発明においては、防水シートの孔の周りが封止部材によって封止されるため、従来のコーキング剤の注入作業を必要とすること無く、孔からの野地板側への漏水を防止することが可能となる。また、締結部材を締結するという簡易な作業によって、コーキング剤の注入作業の代わりとすることができる。
【００２８】
また、請求項３に記載の発明においては、防水シートの孔の周りが封止部材によって封止されるため、従来のコーキング剤の注入作業を必要とすること無く、孔からの野地板側への漏水を防止することが可能となる。また、締結部材を締結するという簡易な作業によって、コーキング剤の注入作業の代わりとすることができる。
【００２９】
また、請求項４に記載の発明においては、防水シートの孔の周りが封止部材によって封止されるため、従来のコーキング剤の注入作業を必要とすること無く、孔からの野地板側への漏水を防止することが可能となる。また、締結部材を締結するという簡易な作業によって、コーキング剤の注入作業の代わりとすることができる。
【図面の簡単な説明】
【００３７】
【図１】本発明が適用され得る屋根の一例について示す図。
【図２】（ａ）は実施例１において設置用固定具の固定前の状態について説明する図。（ｂ）は実施例１において設置用固定具の固定後の状態について説明する図。
【図３】（ａ）は封止部材をブラケット部材と一体化する例について説明する図。（ｂ）は封止部材の全体を弾性体で構成する例について説明する図。（ｃ）は封止部材の一部を弾性体で構成する例について説明する図。（ｄ）は封止部材の一部にゲル状のシール剤が付着される形態について示す図。（ｅ）は封止部材の全部がゲル状のシール剤にて構成される形態について示す図。
【図４】（ａ）は実施例２において設置用固定具の固定前の状態について説明する図。（ｂ）は実施例２において設置用固定具の固定後の状態について説明する図。
【図５】（ａ）は封止部材の構成について説明する図。（ｂ）は封止部材をブラケット部材と一体化する例について説明する図。（ｃ）はベース部と環状部が全体として筒状に構成される封止部材の形態について示す図。
【図６】（ａ）は実施例３において設置用固定具の固定前の状態について説明する図。（ｂ）は実施例３において設置用固定具の固定後の状態について説明する図。
【図７】実施例３の構成を利用して屋根材と野地板の間の空間に封止部材を堆積させる形態について示す図。
【発明を実施するための形態】
【００３８】
図１に示すごとく、本発明が適用され得る屋根の構造は、野地板２の上に防水シート３を介して屋根材４ａ・４ｂ・・・が設置されるものである。また、本発明にかかる太陽エネルギー利用装置の設置構造１は、屋根材４ａ・４ｂ・・・の上に設置される設置用固定具５に対し、架台部材６などを介して太陽エネルギー利用装置７が連結固定される構造とするものである。なお、太陽エネルギー利用装置としては、太陽電池パネルや、太陽熱を利用する太陽熱温水器などが想定される。
【００３９】
また、図２（ａ）（ｂ）に示すごとく、設置用固定具５は、屋根材４ａ・４ｂのおもて側に設置され、太陽エネルギー利用装置７と連結されるブラケット部材５１と、ブラケット部材５１を屋根材４ａ・４ｂのうら側の野地板２に留め付けるための締結部材５２であって、野地板２に敷設される防水シート３を通して野地板２に差し込まれる締結部材５２と、締結部材５２が通される防水シート３の孔３１の周囲を封止するための封止部材５３と、を有する構成とするものである。
【００４０】
これにより、図２（ｂ）に示すごとく、防水シート３の孔３１の周りが封止部材５３によって封止されるため、従来のコーキング剤の注入作業を必要とすること無く、孔３１からの野地板２側への漏水を防止することが可能となる。
【００４１】
また、図１及び図２に示すごとく、本発明にかかる太陽エネルギー利用装置の設置方法は、屋根材４ａ・４ｂ・・・の上に設置用固定具５を介して太陽エネルギー利用装置７を設置するための方法であって、設置用固定具５は、屋根材４ａ・４ｂのおもて側に設置され、太陽エネルギー利用装置７と連結されるブラケット部材５１と、ブラケット部材５１を屋根材４ａ・４ｂのうら側の野地板２に留め付けるための締結部材５２であって、野地板２に敷設される防水シート３を通して野地板２に差し込まれる締結部材５２と、締結部材５２が通される防水シート３の孔３１の周囲を封止するための封止部材５３と、を有する構成とし、締結部材５２が締結されると同時に、孔３１の周りが封止部材５３によって封止される、太陽エネルギー利用装置の設置方法とするものである。
【００４２】
これにより、図２に示すごとく、防水シート３の孔３１の周りが封止部材５３によって封止されるため、従来のコーキング剤の注入作業を必要とすること無く、孔３１からの野地板２側への漏水を防止することが可能であるとともに、締結部材５２が締結されると同時に、防水シート３の孔３１の周りが封止部材５３によって封止されることから、締結のための作業と封止の作業を同時化することが可能となって、優れた作業効率を実現することができる。
【００４３】
以下では、具体的な実施例を用いて説明するが、本発明は実施例の構成に限定されるものではない。例えば、図２（ａ）に示される構成において、屋根材４ａ・４ｂについては、平板状のスレート瓦のほかにも、波形状をなす一般的な屋根瓦の形態である場合も考えられ、また、貫通孔４１ａ・４１ｂについては、屋根材４ａ・４ｂが重なる部位以外の箇所に配置されるものであってもよい。また、貫通孔４１ａ・４１ｂは、例えば、施工時において現場で屋根材に孔加工を施すことができ、また、新設の屋根であれば、製造時に貫通孔が形設される屋根材を利用することで、現場での孔加工を不要とする形態なども考えられる。
【実施例１】
【００４４】
図２（ａ）（ｂ）は、太陽エネルギー利用装置の設置構造１の実施例１について示すものである。
野地板２の上面側（おもて面側）には防水シート３が敷設され、この防水シート３の上に屋根材４ａ・４ｂが敷設される。屋根材４ａ・４ｂは、水上側が上になるように、一部において重なるように設けられており、重なる部位において、上下方向に貫通する貫通孔４１ａ・４１ｂが形設される。この貫通孔４１ａ・４１ｂは、設置用固定具５の締結部材５２などを貫通させるために設けられる。
【００４５】
また、図２に示すごとく、設置用固定具５は、屋根材４ａ・４ｂのおもて側に設置され、太陽エネルギー利用装置７と連結されるブラケット部材５１と、ブラケット部材５１を屋根材４ａ・４ｂと屋根材４ａ・４ｂのうら側の防水シート３を介して野地板２に留め付けるための締結部材５２と、締結部材５２によって防水シート３に形設される孔３１の周囲を封止するための封止部材５３と、を有する構成とするものである。
【００４６】
また、図２（ａ）（ｂ）に示すごとく、ブラケット部材５１は、屋根材４ａの上面側（おもて面側）に設置される設置板部５１ａと、太陽エネルギー利用装置の架台部材６（図１参照）が連結固定される連結部５１ｂを有する構成としている。また、設置板部５１ａの下面（うら面）には、粘着性を有するテープ部材５１ｃが貼り付けられており、このテープ部材５１ｃを屋根材４ａに貼り付けることによって、ブラケット部材５１を屋根材４ａに対して仮固定できるようになっている。なお、テープ部材５１ｃとしては、止水機能（シーリング機能）を発揮するものとして周知されているブチルテープなどが利用され得る。また、このテープ部材５１ｃは、ブラケット部材５１と別体であって、施工時などにおいて適宜使用されるものであってもよい。
【００４７】
また、図２（ａ）（ｂ）に示すごとく、締結部材５２は、先端側が野地板２に対して差し込まれる軸部５２ａと、軸部５２ａの後端側に設けられる頭部５２ｂを有して構成されるものであり、ねじや釘にて構成することができる。この締結部材５２は、ブラケット部材５１を野地板２に対して固定するものであり、ブラケット部材５１の設置板部５１ａに形設される貫通孔５１ｍに対して締結部材５２の軸部５２ａが挿入されるとともに、軸部５２ａの先端が防水シート３を突き破るようにして野地板２へと差し込まれる。また、設置板部５１ａは、締結部材５２の頭部５２ｂによって上側から押さえつけられるとともに、頭部５２ｂと設置板部５１ａの間には、貫通孔５１ｍからの水の浸入を防止するためのパッキン５４が介装される。なお、防水シート３の孔３１は、締結部材５２の先端が通過することによって形成されることとする他、予め、防水シート３に形設されるものであってもよい。
【００４８】
また、図２（ａ）（ｂ）に示すごとく、封止部材５３は、屋根材４ａ・４ｂの貫通孔４１ａ・４１ｂに挿入される環状の部材であって、締結部材５２の軸部５２ａを挿通させるための挿通孔５３ａを有する構成としている。この封止部材５３の長さ寸法は、貫通孔４１ａ・４１ｂの合計寸法よりも長く構成されており、締結部材５２を締結した際において、封止部材５３の下端部が防水シート３に圧着するようになっている。なお、本明細書中において使用される形態を特定するための「環状」の形態には、リング状、或いは、筒状として認識される形態も含まれるものである。
【００４９】
また、図２（ａ）（ｂ）に示すごとく、封止部材５３は、その全部、又は、防水シート３側に接する部位が、ゴム又は樹脂からなる弾性体にて構成されており、封止部材５３の端部が防水シート３に圧着した際には、弾性体が圧縮変形するようになっている。これにより、締結部材５２の軸部５２ａの先端が防水シート３を突き破ることで、防水シート３に形設された孔３１の周囲が弾性体によって封止される。図２（ａ）（ｂ）に示す例では、封止部材５３の全体が弾性体にて構成されることとしている。
【００５０】
以上の構成により、コーキング剤の注入作業を必要とすることなく、設置用固定具５の設置を行うことが可能となる。
即ち、まず、図２（ａ）に示すごとく、貫通孔４１ａ・４１ｂに対して封止部材５３が挿入され、封止部材５３の挿通孔５３ａと設置板部５１ａの貫通孔５１ｍの位置を合わせるようにして、設置用固定具５が屋根材４ａに載置される。次に、図２（ｂ）に示すごとく、設置板部５１ａの貫通孔５１ｍから締結部材５２が差し込まれるとともに、この締結部材５２の先端が防水シート３を突き破って野地板２に差し込まれることによって、締結部材５２によるブラケット部材５１の野地板２への固定が完了される。
【００５１】
そして、図２（ｂ）に示すごとく、ブラケット部材５１の固定作業がなされる際には、防水シート３に形設された孔３１の周囲が封止部材５３（弾性体）によって封止され、この孔３１への水の浸入が、封止部材５３によって防止されることになり、防水シート３に形設された孔３１を通過することによる漏水を防止することが可能となる。このようにして、封止部材５３を屋根材４ａ・４ｂ・・・の貫通孔４１ａ・４１ｂに挿入するという簡易な作業によって、コーキング剤の注入作業の代わりとすることができる。
【００５２】
また、図２（ｂ）に示される固定の形態は、一つのブラケット部材５１について複数箇所存在することが想定される、つまり、例えば、一つのブラケット部材５１を五箇所において締結部材５２にて留め付けるといったことが想定されるため、コーキング剤の注入作業に代えて本実施例を適用することによれば、作業時間を大きく短縮することが可能となる。
【００５３】
なお、図２（ａ）に示すごとく、封止部材５３がブラケット部材５１と別体で構成されることによれば、封止部材５３を貫通孔４１ａ・４１ｂに挿入した後に、ブラケット部材５１を屋根材４ａに設置するという手順にて施工できる。また、このほか、図３（ａ）に示すごとく、封止部材５３Ａをブラケット部材５１と一体的に構成し、ブラケット部材５１の屋根材への設置と同時に、封止部材５３Ａが貫通孔４１ａ・４１ｂ（図２（ａ））内へと挿入される構成としてもよい。また、図３（ｂ）に示す封止部材５３Ｂの形態のように、全体がゴム又は樹脂からなる弾性体で構成されることとするほか、図３（ｃ）に示す封止部材５３Ｃの形態のように、防水シートに圧着される側の端部においてゴム又は樹脂からなる弾性体５３ｍを設けるとともに、他の部位は金属部５３ｎにて構成されることとしてもよい。
【００５４】
さらには、図３（ｄ）に示す封止部材５３Ｄの形態のように、防水シートに圧着される側の端部において、ゲル状（半固体状）のシール剤５３ｘが付着されることとし、他の部位は金属部５３ｐにて構成されることとしてもよい。或いは、図３（ｅ）に示すごとく、封止部材５３Ｅの全体がシール剤５３ｙにて構成されることしてもよい。これら図３（ｄ）（ｅ）の形態で使用されるシール剤５３ｘ・５３ｙは、例えば、従来、広く使用されるブチル系コーキング剤を採用することができる。
【００５５】
以上の説明のように、実施例１の封止部材５３は、屋根材４ａ・４ｂの貫通孔４１ａ・４１ｂに挿入される環状の部材であって、締結部材５２の軸部５２ａを挿通させるための挿通孔５３ａを有し、封止部材５３の全部、又は、防水シート３側に接する部位が、ゴム又は樹脂からなる弾性体にて構成されており、封止部材５３の端部が防水シート３に圧着した際には、弾性体が圧縮変形し、防水シート３に形設された孔３１の周囲が弾性体によって封止される構成とするものである。
【００５６】
また、図３（ｄ）（ｅ）に示すごとく、以上に説明した実施例１の封止部材５３の別の形態として、屋根材４ａ・４ｂの貫通孔４１ａ・４１ｂに挿入される環状の部材であって、締結部材５２の軸部５２ａを挿通させるための挿通孔５３ａを有し、封止部材５３の全部、又は、防水シート３側に接する部位が、ゲル状のシール剤５３ｘ（５３ｙ）にて構成されており、封止部材５３の端部が防水シート３に圧着した際には、シール剤５３ｘ（５３ｙ）が圧縮変形し、防水シート３に形設された孔３１の周囲がシール剤５３ｘ（５３ｙ）によって封止される構成としてもよい。
【実施例２】
【００５７】
図４（ａ）（ｂ）及び図５（ａ）は、実施例２について示すものであり、本実施例２においては、実施例１で使用される設置用固定具５とは異なる形態の設置用固定具６０が使用されるものである。
【００５８】
図４（ａ）（ｂ）に示すごとく、野地板２の上面側（おもて面側）には防水シート３が敷設され、この防水シート３の上に屋根材４ａ・４ｂが敷設される。屋根材４ａ・４ｂは、水上側が上になるように、一部において重なるように設けられており、重なる部位において、上下方向に貫通する貫通孔４１ａ・４１ｂが形設される。この貫通孔４１ａ・４１ｂは、設置用固定具６０の締結部材６２などを貫通させるために設けられる。
【００５９】
また、図４（ａ）（ｂ）に示すごとく、設置用固定具６０は、屋根材４ａ・４ｂのおもて側に設置され、太陽エネルギー利用装置７と連結されるブラケット部材６１と、ブラケット部材６１を屋根材４ａ・４ｂと屋根材４ａ・４ｂのうら側の防水シート３を介して野地板２に留め付けるための締結部材６２と、締結部材６２によって防水シート３に形設される孔３１の周囲を封止するための封止部材６３と、を有する構成とするものである。
【００６０】
また、図４（ａ）（ｂ）に示すごとく、ブラケット部材６１は、屋根材４ａの上面側（おもて面側）に設置される設置板部６１ａと、太陽エネルギー利用装置の架台部材６（図１参照）が連結固定される連結部６１ｂを有する構成としている。また、設置板部６１ａの下面（うら面）には、粘着性を有するテープ部材６１ｃが貼り付けられており、このテープ部材６１ｃを屋根材４ａに貼り付けることによって、ブラケット部材６１を屋根材４ａに対して仮固定できるようになっている。なお、テープ部材６１ｃとしては、止水機能（シーリング機能）を発揮するものとして周知されているブチルテープなどが利用され得る。また、このテープ部材６１ｃは、ブラケット部材６１と別体であって、施工時などにおいて適宜使用されるものであってもよい。
【００６１】
また、図４（ａ）（ｂ）に示すごとく、締結部材６２は、先端側が野地板２に対して差し込まれる軸部６２ａと、軸部６２ａの後端側に設けられる頭部６２ｂを有して構成されるものであり、ねじや釘にて構成することができる。この締結部材６２は、ブラケット部材６１を野地板２に対して固定するものであり、ブラケット部材６１の設置板部６１ａに形設される貫通孔６１ｍに対して締結部材６２の軸部６２ａが挿入されるとともに、軸部６２ａの先端が防水シート３を突き破るようにして野地板２へと差し込まれる。また、設置板部６１ａは、締結部材６２の頭部６２ｂによって上側から押さえつけられるとともに、頭部６２ｂと設置板部６１ａの間には、貫通孔６１ｍからの水の浸入を防止するためのパッキン６４が介装される。なお、防水シート３の孔３１は、締結部材６２の先端が通過することによって形成されることとする他、予め、防水シート３に形設されるものであってもよい。
【００６２】
また、図４（ａ）（ｂ）及び図５（ａ）に示すごとく、封止部材６３は、板状のベース部６３ａと、ベース部６３ａから突出して屋根材４ａ・４ｂの貫通孔４１ａ・４１ｂに挿入される環状の挿入部６３ｂと、ベース部６３ａと挿入部６３ｂに一連に形設される挿通孔部６３ｃと、ベース部６３ａ、及び、挿通孔部６３ｃに付着されるゲル状（半固体状）のシール剤６３ｄと、を有する構成としている。なお、シール剤６３ｄは、後述する孔３１の封止が確実に行われ得るのであれば、ベース部６３ａ、又は、挿通孔部６３ｃのいずれか一方に付着されるものであってもよい。なお、本明細書中において使用される形態を特定するための「環状」の形態には、リング状、或いは、筒状として認識される形態も含まれるものである。
【００６３】
また、図５（ａ）に示すごとく、封止部材６３のベース部６３ａと挿入部６３ｂは、可撓性のあるプラスチックフィルムなどで構成することができ、例えば、ＰＥＴ（ポリエチレンテレフタラート）を原料とする成形体や、ＰＰ（ポリプロピン）とＰＥ（ポリエチレン）を原料とする成形体にて構成することができる。また、プラスチックフィルムの他、ゴムや樹脂の弾性体や、或いは、ステンレスなどの金属にて構成することとしてもよい。
【００６４】
また、図５（ａ）に示すごとく、シール剤６３ｄは、例えば、従来、広く使用されるブチル系コーキング剤を採用することができ、図５（ａ）の例では、ベース部６３ａの表面（上面）に所定の厚みで付着されるとともに、挿通孔部６３ｃ内に充填される形態としている。
【００６５】
また、図４（ｂ）に示すごとく、封止部材６３において、挿入部６３ｂが屋根材４ａ・４ｂの貫通孔４１ａ・４１ｂに挿入された状態において、防水シート３と挿入部６３ｂの先端の間に隙間Ｓが確保される形態とすることができる。この形態によれば、後述するように、この隙間Ｓにシール剤６３ｄを充満させることが可能となる。なお、シール剤６３ｄにより防水シート３の孔３１の周囲が封止されるのであれば、隙間Ｓが確保されない構成としてもよい。
【００６６】
以上の構成により、コーキング剤の注入作業を必要とすることなく、設置用固定具６０の設置を行うことが可能となる。
即ち、まず、図４（ａ）に示すごとく、貫通孔４１ａ・４１ｂに対して封止部材６３の挿入部６３ｂが挿入され、挿入部６３ｂの挿通孔部６３ｃと設置板部６１ａの貫通孔６１ｍの位置を合わせるようにして、封止部材６３のベース部６３ａの上にブラケット部材６１の設置板部６１ａが載置される。次に、図４（ｂ）に示すごとく、締結部材６２が設置板部６１ａの貫通孔６１ｍから差し込まれ、さらに、挿通孔部６３ｃを通過し、この締結部材６２の先端が防水シート３を突き破って野地板２に差し込まれることによって、締結部材６２によるブラケット部材６１の野地板２への固定が完了する。
【００６７】
そして、図４（ｂ）に示すごとく、ブラケット部材６１の固定作業がなされる際には、ベース部６３ａの上面や挿通孔部６３ｃに充填されたシール剤６３ｄが、締結部材６２によって下方へと押し出され、挿入部６３ｂと防水シート３の隙間Ｓ（図４（ｂ））において、締結部材６２の軸部６２ａを取り囲むように、シール剤６３ｄが充満する。
【００６８】
そして、図４（ｂ）に示すごとく、この充満したシール剤６３ｄによって、防水シート３に形設された孔３１が封止され、この孔３１への水の浸入が、シール剤６３ｄによって防止されることになり、防水シート３に形設された孔３１を通過することによる漏水を防止することが可能となる。このようにして、封止部材６３を屋根材４ａ・４ｂ・・・の貫通孔４１ａ・４１ｂに挿入するという簡易な作業によって、コーキング剤の注入作業の代わりとすることができる。
【００６９】
また、図４（ｂ）に示される固定の形態は、一つのブラケット部材６１について複数箇所存在することが想定される、つまり、例えば、一つのブラケット部材６１を五箇所において締結部材６２にて留め付けるといったことが想定されるため、コーキング剤の注入作業に代えて本実施例を適用することによれば、作業時間を大きく短縮することが可能となる。
【００７０】
なお、図４（ａ）に示すごとく、封止部材６３は、ブラケット部材６１と別体で構成されることによれば、封止部材６３の挿入部６３ｂを貫通孔４１ａ・４１ｂに差し込んだ後に、ブラケット部材６１を屋根材４ａに設置するという手順にて施工できる。また、図５（ｂ）に示すごとく、封止部材６３Ａは、ブラケット部材６１と一体的に構成され、ブラケット部材６１の屋根材への設置と同時に、封止部材６３Ａの挿入部６３Ａｂが貫通孔４１ａ・４１ｂ（図４（ａ））内へと挿入される構成としてもよい。また、図５（ｃ）に示すごとく、ベース部の外径が環状部の外径と同一に設定され、ベース部と環状部が全体として筒状に構成される封止部材６３Ｂの形態としてもよい。
【００７１】
以上の説明のように、実施例２では、封止部材６３は、前記ブラケット部材６１に接続されるベース部６３ａと、ベース部６３ａから突出して屋根材４ａ・４ｂの貫通孔４１ａ・４１ｂに挿入される環状の挿入部６３ｂと、ベース部６３ａと挿入部６３ｂに一連に形設される挿通孔部６３ｃと、ベース部６３ａ、及び／又は、挿通孔部６３ｃに付着されるゲル状（半固体状）のシール剤６３ｄと、を有する構成とし、締結部材６２が挿通孔部６３ｃに挿入されることでシール剤６３ｄが押し出され、シール剤６３ｄにより防水シート３の孔３１が封止される構成とするものである。
【実施例３】
【００７２】
図６（ａ）（ｂ）は、実施例３について示すものであり、本実施例３においては、実施例１で使用される設置用固定具５とは異なる形態の設置用固定具７０が使用されるものである。
【００７３】
図６（ａ）（ｂ）に示すごとく、野地板２の上面側（おもて面側）には防水シート３が敷設され、この防水シート３の上に屋根材４ａ・４ｂが敷設される。屋根材４ａ・４ｂは、水上側が上になるように、一部において重なるように設けられており、重なる部位において、上下方向に貫通する貫通孔４１ａ・４１ｂが形設される。この貫通孔４１ａ・４１ｂは、設置用固定具７０の締結部材７２などを貫通させるために設けられる。
【００７４】
図６（ａ）（ｂ）に示すごとく、設置用固定具７０は、屋根材４ａ・４ｂのおもて側に設置され、太陽エネルギー利用装置７と連結されるブラケット部材７１と、ブラケット部材７１を屋根材４ａ・４ｂと屋根材４ａ・４ｂのうら側の防水シート３を介して野地板２に留め付けるための締結部材７２と、締結部材７２によって防水シート３に形設される孔３１の周囲を封止するための封止部材７３と、を有する構成とするものである。
【００７５】
また、図６（ａ）（ｂ）に示すごとく、ブラケット部材７１は、屋根材４ａの上面側（おもて面側）に設置される設置板部７１ａと、太陽エネルギー利用装置の架台部材６（図１参照）が連結固定される連結部７１ｂを有する構成としている。また、設置板部７１ａの下面（うら面）には、粘着性を有するテープ部材７１ｃが貼り付けられており、このテープ部材７１ｃを屋根材４ａに貼り付けることによって、ブラケット部材７１を屋根材４ａに対して仮固定できるようになっている。なお、テープ部材７１ｃとしては、止水機能（シーリング機能）を発揮するものとして周知されているブチルテープなどが利用され得る。また、このテープ部材７１ｃは、ブラケット部材７１と別体であって、施工時などにおいて適宜使用されるものであってもよい。
【００７６】
また、図６（ａ）（ｂ）に示すごとく、締結部材７２は、先端側が野地板２に対して差し込まれる軸部７２ａと、軸部７２ａの後端側に設けられる頭部７２ｂを有して構成されるものであり、ねじや釘にて構成することができる。この締結部材７２は、ブラケット部材７１を野地板２に対して固定するものであり、ブラケット部材７１の設置板部７１ａに形設される貫通孔７１ｍに対して締結部材７２の軸部７２ａが挿入されるとともに、軸部７２ａの先端が防水シート３を突き破るようにして野地板２へと差し込まれる。また、設置板部７１ａは、締結部材７２の頭部７２ｂによって上側から押さえつけられるとともに、頭部７２ｂと設置板部７１ａの間には、貫通孔７１ｍからの水の浸入を防止するためのパッキン７４が介装される。なお、防水シート３の孔３１は、締結部材７２の先端が通過することによって形成されることとする他、予め、防水シート３に形設されるものであってもよい。
【００７７】
また、図６（ａ）に示すごとく、封止部材７３は、締結部材７２の軸部７２ａの表面に付着されるゲル状（半固体状）のシール剤にて構成される。封止部材７３を構成するシール剤としては、例えば、従来、広く使用されるブチル系コーキング剤を採用することができ、軸部７２ａの周囲を取り巻くように塗着することによって、軸部７２ａに付着した状態を維持することができるようになる。なお、軸部７２ａへの封止部材７３の付着は、施工現場での作業時間を短縮する観点から、事前に準備しておくことが好ましい。
【００７８】
また、図６（ａ）に示すごとく、封止部材７３は締結部材７２の軸部７２ａの先端側に付着されるものとしている。より詳しくは、締結部材７２の軸部７２ａの長さ方向において、封止部材７３が付着される付着範囲Ｆは、野地板２に差し込まれる軸部７２ａの部位を有効差込範囲Ｙとした場合に、有効差込範囲Ｙの少なくとも一部を含む、こととするものである。換言すれば、有効差込範囲Ｙが先端７２ｃから中途部７２ｄの範囲である場合に、付着範囲Ｆの先端７２ｃ側の境界部Ｆａは、中途部７２ｄよりも先端７２ｃに近い側に配置されることとするものである。
【００７９】
これにより、図６（ｂ）に示すごとく、締結部材７２が防水シート３を突き破るようにして野地板２に差し込まれた際には、軸部７２ａの周囲に付着した封止部材７３は、野地板２に押し返されるようにして盛り上がり、防水シート３に形設される孔３１の周りに堆積することになる。そして、このように堆積した封止部材７３によって、防水シート３の孔３１が封止される。
【００８０】
以上の構成により、コーキング剤の注入作業を必要とすることなく、設置用固定具７０の設置を行うことが可能となる。
即ち、まず、図６（ａ）に示すごとく、貫通孔４１ａ・４１ｂに対して設置板部７１ａの貫通孔７１ｍの位置を合わせるようにして、ブラケット部材７１が屋根材４ａに設置される。次に、設置板部７１ａの貫通孔７１ｍから、封止部材７３が付着された締結部材７２が差し込まれるとともに、図６（ｂ）に示すごとく、この締結部材７２の先端が防水シート３を突き破って野地板２に差し込まれることによって、締結部材７２によるブラケット部材７１の野地板２への固定が完了する。
【００８１】
そして、図６（ｂ）に示すごとく、ブラケット部材７１の固定作業がなされる際には、軸部７２ａの周囲に付着した封止部材７３は、野地板２に押し返されるようにして盛り上がり、防水シート３に形設される孔３１の周りに堆積することになる。そして、このように堆積した封止部材７３によって、防水シート３の孔３１が封止され、この孔３１への水の浸入が、封止部材７３によって防止されることになり、防水シート３に形設された孔３１を通過することによる漏水を防止することが可能となる。このように、締結部材７２を締結するという簡易な作業によって、コーキング剤の注入作業の代わりとすることができる。
【００８２】
また、図６（ｂ）に示される固定の形態は、一つのブラケット部材７１について複数箇所存在することが想定される、つまり、例えば、一つのブラケット部材７１を五箇所において締結部材７２にて留め付けるといったことが想定されるため、コーキング剤の注入作業に代えて本実施例を適用することによれば、作業時間を大きく短縮することが可能となる。
【００８３】
以上の説明のように、実施例３においては、締結部材７２は、その先端側が野地板２に差し込まれることでブラケット部材７１を野地板２に留め付けるための軸部７２ａを有し、封止部材７３は、軸部７２ａに付着されるゲル状の封止部材７３にて構成され、軸部７２ａが野地板２に差し込まれる際に、封止部材７３が、野地板２に押し返されるようにして盛り上がり、防水シート３に形設される孔３１の周りに堆積し、堆積した封止部材７３によって、前記防水シート３の孔３１が封止される構成とするものである。
【００８４】
また、図７に示すごとく、複数の屋根材４ｃ・４ｄ・４ｅが重ねて配置される屋根材の納まり仕様においては、上側（水上側）の屋根材４ｄと野地板２の間に空間８が形成される。このような納まり仕様において、実施例３の設置用固定具７０を用いた場合には、空間８を利用して封止部材７３を堆積させることが可能となり、これにより、封止部材７３によって防水シート３の孔３１を封止することが可能となる。
【産業上の利用可能性】
【００８５】
本発明の構成は、建物屋根への太陽エネルギー利用装置の設置において、施工時間の短縮を図るとともに、防水シートでの漏水対策を図る手段として、幅広く適用可能である。
【符号の説明】
【００８６】
２    野地板
３    防水シート
４ａ    屋根材
４ｂ    屋根材
５    設置用固定具
６    架台部材
７    太陽エネルギー利用装置
３１    孔
３２    境界部
４１ａ    貫通孔
４１ｂ    貫通孔
５１    ブラケット部材
５２    締結部材
５３    封止部材
５４    パッキン
【図１】
0005729715.tif 000002
【図２】
0005729715.tif 000003
【図３】
0005729715.tif 000004
【図４】
0005729715.tif 000005
【図５】
0005729715.tif 000006
【図６】
0005729715.tif 000007
【図７】
0005729715.tif 000008